(57)【特許請求の範囲】
【請求項１】
電子装置を支持することに用いられ、且つ基盤、電子装置載置部、１つの位置決めロッド及び２つの支持ロッドを備えるスタンドであって、
前記位置決めロッドの両端は、それぞれ前記基盤及び前記電子装置載置部に固定され、前記支持ロッドの一端は前記基盤に回転可能に装着され、前記支持ロッドの他端は前記電子装置載置部の背面に吸着され、
前記位置決めロッドを曲げることによって、前記電子装置載置部の傾斜角度及び位置を調節することができ、２つの前記支持ロッドは、前記電子装置載置部の左右両側を同時に支持して、前記電子装置の側辺がユーザーにより押圧される際に前記電子装置載置部が一方側へ傾斜することを防止し、
前記支持ロッドの他端には磁性を持つ吸着部が設けられ、前記電子装置載置部の前記背面にはマグネットを内蔵した係合凹部が設けられ、前記吸着部は前記係合凹部に嵌合され且つ前記マグネットを介して前記電子装置載置部の前記背面に吸着されることを特徴とするスタンド。
【請求項２】
前記支持ロッドの一端には回転部が設けられ、前記基盤には前記回転部と組み合わせる円形孔が設けられ、前記位置決めロッドの向き及び湾曲度が調節される際に、前記電子装置載置部が連動して動くと共に、２つの前記支持ロッドの前記回転部が前記基盤の前記円形孔内で回転することを特徴とする請求項１に記載のスタンド。
【請求項３】
前記電子装置載置部の前記背面の反対側の表面の四隅には、それぞれ１つの止め部が設けられ、四つの前記止め部が電子装置を装着するための収容空間を形成することを特徴とする請求項１または２に記載のスタンド。
【請求項４】
前記位置決めロッドの一端には、連接部及び前記連接部に回転可能に連接される固定部が設けられ、前記固定部は前記電子装置載置部の背面の中央部に固定されることを特徴とする請求項１から３のいずれか一項に記載のスタンド。
【発明の詳細な説明】
【技術分野】
【０００１】
本発明は、スタンドに関し、特に電子装置を支持するためのスタンドに関するものである。
【背景技術】
【０００２】
モバイル通信技術の飛躍的な発展に伴い、携帯電話、携帯情報端末（ＰＤＡ）及びタブレットパソコン（Ｔａｂｌｅｔ  ＰＣ）等の電子装置は、現代人の日常生活において、必要不可欠なものとなった。最近、これらの電子装置の機能は益々多様化し、電子装置を用いたインターネット検索、動画再生、ＴＶ放送、各種ゲームなどのマルチメディア機能の実行が可能になりつつある。電子装置を卓上に据え置く際に、それが表示した画面を快適に閲覧するため、通常電子装置専用のスタンド等を利用して、電子装置に所定の傾斜角度を形成させるように支持する。
【０００３】
しかし、従来の電子装置用スタンドの構造は複雑であり、支持された状態において電子装置を操作する際に、そのスタンドが一方向へ過度に傾斜し、電子装置のバランスがくずれるなど、とても不便である。
【発明の概要】
【発明が解決しようとする課題】
【０００４】
上述した問題点に鑑みて、本発明は、構造が簡単で、電子装置を支持する際に安定し且つ強固であるスタンドを提供することを目的とする。
【課題を解決するための手段】
【０００５】
本発明に係るスタンドは、電子装置を支持することに用いられ、且つ基盤、電子装置載置部、１つの位置決めロッド及び２つの支持ロッドを備える。前記位置決めロッドの両端は、それぞれ前記基盤及び前記電子装置載置部に固定され、前記支持ロッドの一端は前記基盤に回転可能に装着され、前記支持ロッドの他端は前記電子装置載置部の背面に吸着される。前記位置決めロッドを曲げることによって、前記電子装置載置部の傾斜角度及び位置を調節することができる。２つの前記支持ロッドは、前記電子装置載置部の左右両側を同時に支持して、前記電子装置の側辺がユーザーにより押圧される際に、前記電子装置載置部が一方側へ傾斜することを防止し、前記支持ロッドの他端には磁性を持つ吸着部が設けられ、前記電子装置載置部の前記背面にはマグネットを内蔵した係合凹部が設けられ、前記吸着部は前記係合凹部に嵌合され且つ前記マグネットを介して前記電子装置載置部の前記背面に吸着される。
【発明の効果】
【０００６】
従来の技術と比較して、本発明のスタンドは、１つのフレキシブルな位置決めロッド及び剛性材料からなる２つの支持ロッドにより電子装置載置部を支持するだけなので構造が簡単である。また、前記電子装置載置部の両側がそれぞれ２つの前記支持ロッドに支持されるので、押圧された際に傾斜せず、電子装置のバランスを維持することができる。さらに、前記位置決めロッドの湾曲度及び向き等を調節することにより、前記電子装置載置部の傾斜角度及び位置を変更することもできる。
【図面の簡単な説明】
【０００７】
【図１】本発明の第一実施形態に係るスタンドの分解斜視図である。
【図２】図１に示した本発明の第一実施形態に係るスタンドの組立図である。
【図３】図２に示した本発明の第一実施形態に係るスタンドの別の角度から見た斜視図である。
【発明を実施するための形態】
【０００８】
本発明の実施形態に係るスタンド１００は、携帯電話、携帯情報端末（ＰＤＡ）及びタブレットパソコン等の電子装置に用いられる。以下、図面を参照しながら、本発明のスタンド１００について詳細に説明する。
【０００９】
図１及び図２に示したように、前記スタンド１００は、基盤１０と、２つの支持ロッド２０と、前記基盤１０に固定される位置決めロッド３０と、電子装置載置部４０と、を備える。２つの前記支持ロッド２０は、前記基盤１０に回転可能に装着される。前記電子装置載置部４０は、２つの前記支持ロッド２０及び前記位置決めロッド３０に同時に支持されながら前記基盤１０の上方に配置される。
【００１０】
前記基盤１０は、半球状の主体部１１と、前記主体部１１に設けられる２つの円形孔１２と、半球状の係止部１５と、を備える。前記係止部１５は、固定孔１５１及び複数の固定ピン１５２を備え、前記固定孔１５１は、前記係止部１５の表面の中央部に設けられ且つ前記係止部１５の椀状面の頂点部を貫通する。複数の前記固定ピン１５２は、前記係止部１５の底面からそれぞれ突出して延伸する。前記主体部１１の上面には、複数の前記固定ピン１５２に対応する複数の貫通孔１５３が設けられている。複数の前記貫通孔１５３と２つの前記円形孔１２とは、三角形をなすように前記主体部１１に配置される。
【００１１】
２つの前記支持ロッド２０は、すべて剛性材料からなり、且つそれぞれ回転部２１及び吸着部２２を備える。前記回転部２１は、前記支持ロッド２０の一端に形成され、球体である。本発明は、前記回転部２１を前記円形孔１２内に緊密に係止することを介して、前記支持ロッド２０全体を前記基盤１０に回転可能に装着する。前記吸着部２２は、前記支持ロッド２０の他端に設けられ、且つその端面にはマグネットを包含する吸着層２２１が設けられている。
【００１２】
前記位置決めロッド３０は柔軟な材料からなるので、多様な形状に自由に曲げることができ、曲げられた後も、その状態を維持することができる。前記位置決めロッド３０の一端には、連接部３１及び固定部３２を備える。前記連接部３１と前記固定部３２との間には、回転許容部３３がさらに設けられている。前記回転許容部３３の一端は、ねじ山等を介して前記連接部３１の末端に回転可能に螺着され、前記回転許容部３３の他端は、回転軸等を介して前記固定部３２に回転可能に連結される。この回転許容部３３が存在するため、前記固定部３２は、前記連接部３１に対して回転できるようになる。また前記位置決めロッド３０の他端は、前記係止部１５の固定孔１５１に固定される。
【００１３】
図３に示したように、前記電子装置載置部４０は、矩形のプレートであり、且つ正面４１、四つの止め部４２及び前記正面４１の反対側に位置する背面４３を備える。前記止め部４２は、「Ｌ」状を呈し、ゴム或いは樹脂からなる。四つの前記止め部４２は、前記電子装置載置部４０の正面４１の四隅にそれぞれ設置されて、前記電子装置を装着するための収容空間を形成する。
【００１４】
さらに、電子装置を前記電子装置載置部４０の収容空間に係止する際に、電子装置の側辺が損傷することを防止するために、各止め部４２の電子装置と接触する表面にはエラストマー等の緩衝材４２１が設けられている。また、この緩衝材の弾性力により、前記電子装置を前記電子装置載置部４０の収容空間内に安定して保持することもできる。前記背面４３には、マグネットを内蔵した２つの係合凹部４３１が設けられている。２つの前記係合凹部４３１は、前記背面４３の対向する両側に設けられる。前記支持ロッド２０の吸着部２２は、前記係合凹部４３１内に嵌合され且つ前記マグネットにより前記背面４３に吸着固定される。
【００１５】
前記スタンド１００を組み立てる時、まず、前記支持ロッド２０の回転部２１を前記基盤１０の円形孔１２内に装着し、前記係止部１５の固定ピン１５２を前記基盤１０の貫通孔１５３内に固定する。次に、前記位置決めロッド３０の一端を前記係止部１５の固定孔１５１内に固定し、前記位置決めロッド３０の他端を一定の角度に湾曲させて前記固定部３２を前記電子装置載置部４０の背面４３の中央部に螺着させた後、溶接するか又は接着する。最後に、前記支持ロッド２０の吸着部２２を前記係合凹部４３１内に嵌合して、前記吸着層２２１を介して前記吸着部２２を前記背面４３に吸着させる。これにより、前記スタンド１００の組み立てが完成する。この時、前記電子装置載置部４０は、２つの前記支持ロッド２０及び前記位置決めロッド３０に支持されながら前記基盤１０の上方に設置される。前記電子装置載置部４０は、２つの前記支持ロッド２０に縦方向の押圧力を加えて、前記支持ロッド２０を傾斜させ、その回転部２１を前記円形孔１２の内壁に当接させる。
【００１６】
前記スタンド１００を使用する時、電子装置を前記電子装置載置部４０の四つの止め部４２により取り囲まれて形成される収容空間に係合させればよい。ユーザーが前記電子装置の側辺を押圧した際には、２つの前記支持ロッド２０は前記電子装置載置部４０の左右両側を同時に支持して、前記電子装置載置部４０が一方側へ傾斜することを防止して、前記電子装置のバランスを維持する。
【００１７】
前記電子装置の傾斜角度及び位置を調節する場合、前記位置決めロッド３０を曲げる或いは回転させて、前記位置決めロッド３０の向き及び湾曲度を変更すればよい。その過程において、前記回転部２１は前記円形孔１２内で回転し、前記支持ロッド２０は前記電子装置載置部４０に伴って動き、前記位置決めロッド３０が変形された後、その状態のまま、２つの前記支持ロッド２０と共に前記電子装置載置部４０を所定の傾斜角度及び位置に位置決めする。
【００１８】
また、四つの前記止め部４２のサイズを変更することにより、前記電子装置載置部４０の収容空間のサイズを調節して、異なるサイズの電子装置を装着することができる。
【００１９】
本実施形態において、本発明のスタンド１００は、１つのフレキシブルな位置決めロッド３０及び２つの剛性のある支持ロッド２０により前記電子装置載置部４０を支持する。また、前記電子装置載置部４０の両側がそれぞれ２つの前記支持ロッド２０に支持されるので、押圧される際に傾斜せず、電子装置のバランスを維持することができる。さらに、前記位置決めロッド３０の湾曲度及び向き等を調節することにより、前記電子装置載置部４０の傾斜角度及び位置を変更することもできる。
【００２０】
以上、本発明の好適な実施例について詳細に説明したが、本発明は前記実施例に限定されるものではなく、本発明の範囲内で種々の変形、又は修正が可能であり、該変形、又は修正も本発明の特許請求の範囲内に含まれるものであることはいうまでもない。
【符号の説明】
【００２１】
１０                基盤
１１                主体部
１２                円形孔
１５                係止部
２０                支持ロッド
２１                回転部
２２                吸着部
３０                位置決めロッド
３１                連接部
３２                固定部
４０                電子装置載置部
４１                正面
４２                止め部
４３                背面
１００              スタンド
１５１              固定孔
１５２              固定ピン
１５３              貫通孔
２２１              吸着層
４２１              緩衝材
４３１              係合凹部
３３                回転許容部
【図１】
0005307877.tif 000002
【図２】
0005307877.tif 000003
【図３】
0005307877.tif 000004